(57)【特許請求の範囲】
【請求項１】
回転電機のステータを構成すべきコアの周方向に配列された複数のスロットに、複数のコイルセグメントが挿入されており、前記コアの端面から前記挿入の挿入方向に向けて突出する前記各コイルセグメントの先端部が前記コアの径方向に複数の層を形成し、前記複数の層のうちの一つの層に、他のコイルセグメントの先端部と接合されるべき先端部である短身先端部と、該短身先端部よりも長く前記コアの端面から突出する長身先端部とが配置されている被加工物を用意し、
前記短身先端部を収容するための第１収容凹部と前記長身先端部を収容するための第２収容凹部とを備えたツイスト治具の前記第２収容凹部に前記長身先端部の少なくとも一部を挿入し、前記第１収容凹部に前記短身先端部を挿入していない状態で、前記ツイスト治具を所定量回転させて１次ツイストを行った後、
前記第２収容凹部に前記長身先端部を挿入したまま、さらに前記第１収容凹部に前記短身先端部の少なくとも一部を挿入した状態で、前記ツイスト治具を前記所定量よりも多く回転させる２次ツイストを行うことにより、
周方向で見て、隣り合う前記短身先端部の間の位置に前記長身先端部を配置するように、前記複数のコイルセグメントの先端部をツイストすることを特徴とするコイルセグメントのツイスト方法。
【請求項２】
請求項１に記載のコイルセグメントのツイスト方法であって、
前記１次ツイストを行う前は、前記ツイスト治具の前記各第２収容凹部に前記長身先端部の前記少なくとも一部を挿入した状態において、前記各第１収容凹部が、該第１収容凹部に収容すべき前記短身先端部に対して前記周方向にずれた位置にあり、
前記１次ツイストを行った後は、前記第１収容凹部が、該第１収容凹部に収容すべき前記短身先端部と略対向する位置に来ることを特徴とするコイルセグメントのツイスト方法。
【請求項３】
請求項１又は２に記載のコイルセグメントのツイスト方法であって、
前記長身先端部が配置されている層が、前記径方向の最内層又は最外層であることを特徴とするコイルセグメントのツイスト方法。
【請求項４】
請求項１乃至３のいずれか一項に記載のコイルセグメントのツイスト方法であって、
前記１次ツイストでの前記ツイスト治具の回転量が、前記スロットの形成ピッチの略１／２であり、前記２次ツイストでの前記ツイスト治具の回転量が、前記スロットの形成ピッチの１倍以上であることを特徴とするコイルセグメントのツイスト方法。
【請求項５】
請求項１乃至４のいずれか一項に記載のコイルセグメントのツイスト方法であって、
前記２次ツイストを前記１次ツイストと逆向きに行うことを特徴とするコイルセグメントのツイスト方法。
【請求項６】
コアの周方向に配列された複数のスロットに挿入され、前記コアの端面から前記挿入の挿入方向に向けて突出する各先端部が前記コアの径方向に複数の層を形成する複数のコイルセグメントの、前記コアの端面から突出した先端部を前記周方向に折り曲げるためのツイスト治具であって、
円筒状又は円柱状の本体部と、
該本体部に周方向に間隔をおいて形成され、前記コイルセグメントの先端部のうち他のコイルセグメントの先端部と接合されるべき先端部である短身先端部を収容するための第１収容凹部と、
前記本体部に周方向に間隔をおいて形成され、前記コイルセグメントの先端部のうち前記短身先端部よりも長く前記コアの端面から突出する長身先端部を収容するための第２収容凹部とを有し、
前記第１収容凹部と前記第２収容凹部とは、該第２収容凹部にツイストされていない前記長身先端部を収容した状態では、前記第１収容凹部が、該第１収容凹部に収容すべき前記短身先端部に対して前記周方向にずれた位置に来るように設けられていることを特徴とするツイスト治具。
【請求項７】
請求項６に記載のツイスト治具であって、
前記第２収容凹部にツイストされていない前記長身先端部を収容した状態での、前記第１収容凹部と、該第１収容凹部に収容すべき前記短身先端部との間の前記周方向の前記ずれ量は、前記スロットの形成ピッチの略１／２であることを特徴とするツイスト治具。
【請求項８】
請求項６又は７に記載のツイスト治具を装着可能であって、
前記ツイスト治具を回転駆動する回転駆動機構と、
前記複数のコイルセグメントが挿入された前記コア及び前記ツイスト治具の少なくとも一方を、他方に対してその中心軸に沿う方向に相対移動させる駆動機構と、
前記第２収容凹部に前記長身先端部の少なくとも一部を挿入し前記第１収容凹部に前記短身先端部を挿入していない状態で前記ツイスト治具を所定量回転させる１次ツイストを行った後、前記第２収容凹部に前記長身先端部を挿入したまま、さらに前記第１収容凹部に前記短身先端部の少なくとも一部を挿入した状態で前記ツイスト治具を前記所定量よりも多く回転させる２次ツイストを行うことにより、前記周方向で見て、隣り合う前記短身先端部の間の位置に前記長身先端部が配置されるように、前記回転駆動機構及び前記駆動機構を制御する制御部とを備えることを特徴とするツイスト装置。
【請求項９】
請求項８に記載のツイスト装置であって、
前記ツイスト治具が、前記複数の層のうち前記長身先端部が配置される層である、前記径方向の最内層又は最外層に対応した径を有していることを特徴とするツイスト装置。
【請求項１０】
請求項８又は９に記載のツイスト装置であって、
前記１次ツイストにおける前記ツイスト治具の回転量が、前記スロットの形成ピッチの略１／２であり、前記２次ツイストにおける前記ツイスト治具の回転量が、前記スロットの形成ピッチの１倍以上であることを特徴とするツイスト装置。
【発明の詳細な説明】
【技術分野】
【０００１】
本発明は、モータや発電機等の回転電機のステータにおけるコイルセグメントのツイスト方法ならびに、コイルセグメントのツイスト処理に用いられるツイスト治具及びツイスト装置に関する。
【背景技術】
【０００２】
モータや発電機等の回転電機におけるステータのコイルとして、いわゆるセグメント型コイルが知られている。このセグメント型コイルは、ステータコア（以下、コアと略す）の周方向に沿って配列された複数のスロットに、直線状に延びる一対のスロット挿入部を備えたＵ字状のコイルセグメントを複数、スロットの間を跨ぐように挿入してコアの径方向に複数の層を形成し、これらコイルセグメントのコア端面から突出した挿入方向の先端部を層毎に逆向きにツイスト加工してコアの径方向で隣り合う層（レイヤー）の先端部同士を溶接等により電気的に接合したものである。Ｕ字状のコイルセグメントはヘアピンとも称されている。
ツイスト加工は、捻り曲げ、折り曲げの概念を含むものとし、以下ではツイストと略す。【０００３】
上記のコイルセグメントの中には、入力線や中性線などの引き出し線となるものが含まれており、これらは、先端部同士が接合される通常のコイルセグメントよりもコアの端面からの突出長さが大きい異形のコイルセグメントとなる。
従来知られているツイストの手法においては、ツイストをする場合、通常のコイルセグメントの先端部と、該通常のコイルセグメントと同じ層に位置する異形のコイルセグメントの先端部とは同一のツイスト治具に挿入され、ツイスト治具の回転により、層毎に周方向の同一向きに且つ径方向で隣り合う層のコイルセグメントとは逆向きにツイストされる。
このため、ツイスト後の異形のコイルセグメントの先端部の、コアの周方向の位置は、通常のコイルセグメントの先端部と同じ位置となる。すなわち、通常のコイルセグメントの先端部の接合部列と、異形のコイルセグメントとの先端部とは、コアの径方向に揃った位置に来る。【０００４】
このような従来の手法を用いると、例えば、コアの最も内周側の層（最内層）に位置する異形のコイルセグメントによる引き出し線を、径方向の外側に配置された端子部材に電気的に接続する場合には、通常のコイルセグメントの先端部の接合部列の上方を跨ぐように渡らせて接続する構成とならざるを得ない。
特許文献１に記載のコイルはＵ字状のものを挿入する構成ではないが、その図１７（Ｂ）から明らかなように、コイルの端部をコアの径方向に曲げて小型化を図ることについて上記のような手法が採られている。
【先行技術文献】
【特許文献】
【０００５】
【特許文献１】特開２００９−１１１１６号公報
【発明の概要】
【発明が解決しようとする課題】
【０００６】
上記のように引き出し線が接合部列の上方を跨ぐ接続構成では、異形のコイルセグメントの引き出し部分の長さを大きくとる必要があり、それだけ銅やアルミニウム等で形成されるコイルセグメントの材料費の増加に繋がる。
また、この種のステータではコア端面からのコイルの突出量は少なければ少ない程モータ等の小型化に寄与し、ミリ単位で影響が出るが、上記のような接続構成は小型化を阻害する。
また、引き出し線の立ち上がり高さが大きいと、引き出し線と端子部材との間の接続部の剛性も低下するため、引き出し部の固有振動数が低下する。このため、例えば車両エンジンの回転に伴う振動と共振して結線部に断線応力をもたらす懸念もある。【０００７】
本発明は、このような現状に鑑みてなされたもので、コイルセグメントを用いた回転電機のステータにおいて、コイルセグメントと端子部材との間の接続部の低コスト化と剛性の向上を図るとともに、回転電機の小型化に寄与することを目的とする。
【課題を解決するための手段】
【０００８】
上記目的を達成するための本発明によるコイルセグメントのツイスト方法においては、まず、回転電機のステータを構成すべきコアの周方向に配列された複数のスロットに、複数のコイルセグメントが挿入されており、前記コアの端面から前記挿入の挿入方向に向けて突出する前記各コイルセグメントの先端部が前記コアの径方向に複数の層を形成し、前記複数の層のうちの一つの層に、他のコイルセグメントの先端部と接合されるべき先端部である短身先端部と、該短身先端部よりも長く前記コアの端面から突出する長身先端部とが配置されている被加工物を用意する。【０００９】
そして前記短身先端部を収容するための第１収容凹部と前記長身先端部を収容するための第２収容凹部とを備えたツイスト治具の前記第２収容凹部に前記長身先端部の少なくとも一部を挿入し、前記第１収容凹部に前記短身先端部を挿入していない状態で、前記ツイスト治具を所定量回転させて１次ツイストを行った後、前記第２収容凹部に前記長身先端部を挿入したまま、さらに前記第１収容凹部に前記短身先端部の少なくとも一部を挿入した状態で、前記ツイスト治具を前記所定量よりも多く回転させる２次ツイストを行う。【００１０】
本発明によるコイルセグメントのツイスト方法では、上記１次ツイストと２次ツイストにより、周方向で見て、隣り合う前記短身先端部の間の位置に前記長身先端部を配置するように、前記複数のコイルセグメントの先端部をツイストする。【００１１】
このようなコイルセグメントのツイスト方法において、前記１次ツイストを行う前は、前記ツイスト治具の前記各第２収容凹部に前記長身先端部の前記少なくとも一部を挿入した状態で、前記各第１収容凹部は、該第１収容凹部に収容すべき前記短身先端部と前記周方向にずれた位置にあり、前記１次ツイストを行った後は、前記第１収容凹部が、該第１収容凹部に収容すべき前記短身先端部と略対向する位置に来るとよい。【００１２】
さらに、前記長身先端部が配置されている層が、前記径方向の最内層又は最外層であるとよい。
さらに、前記１次ツイストでの前記ツイスト治具の回転量が、前記スロットの形成ピッチの略１／２であり、前記２次ツイストでの前記ツイスト治具の回転量が、前記スロットの形成ピッチの１倍以上であるとよい。
さらに、前記２次ツイストを前記１次ツイストと逆向きに行うとよい。【００１３】
また、この発明は、上記のように方法として実施する他、上記のツイスト方法の実施に適したツイスト治具や、ツイスト装置として実施することができる。当該ツイスト装置の動作方法、ツイスト装置の制御に用いるプログラムやそのプログラムを格納した記録媒体として実施することも妨げられない。
【発明の効果】
【００１４】
上記の構成によれば、コイルセグメントを用いた回転電機のステータにおいて、コイルセグメントと端子部材との間の接続部の低コスト化と剛性の向上を図れるとともに、回転電機の小型化に寄与できる。
【図面の簡単な説明】
【００１５】
【図１】本発明に係るコイルセグメントのツイスト方法を用いて作成される回転電機のステータの一例を示す斜視図である。
【図２Ａ】通常のコイルセグメントの一例を示す概略斜視図である。
【図２Ｂ】異形のコイルセグメントの一例を示す概略斜視図である。
【図２Ｃ】中性点となる先端部を有するコイルセグメントの一例を示す概略斜視図である。
【図３】図１の要部拡大斜視図である。
【図４】図１のＩＶ−ＩＶ線に沿う概要断面図である。
【図５】本発明の一実施形態であるツイスト装置の概要構成図である。
【図６】図５のツイスト装置におけるツイスト治具の分解斜視図である。
【図７】図６のＶＩＩ−ＶＩＩ線に沿う内側ツイスト治具２６の概要断面図である。
【図８Ａ】図５で示したツイスト装置によるツイスト動作について説明するための図で、ツイストする前のコイルセグメントと内側ツイスト治具の収容凹部との位置関係を示す、直線的に展開した図である。
【図８Ｂ】ツイストする前のコイルセグメントと内側ツイスト治具の収容凹部との位置関係を、図８Ａと異なる位置で示す、図８Ａと対応する図である。
【図８Ｃ】ツイスト動作開始時における、コイルセグメントと内側ツイスト治具との位置関係を示す、図８Ａと対応する図である。
【図８Ｄ】図８Ｃで示した状態から、第２収容凹部に異形のコイルセグメントの先端部が一部挿入された状態を示す図である。
【図８Ｅ】図８Ｄに示す状態から内側ツイスト治具を回転させて１次ツイストを行った状態を示す図である。
【図８Ｆ】図８Ｅに示す状態から第１収容凹部に通常のコイルセグメントの先端部を挿入した状態を示す図である。
【図８Ｇ】図８Ｆに示す状態から２次ツイストを行った状態を示す図である。
【図９】２次ツイストが終わった時点での入力用引き出し線を示す、コア及びコイルセグメントの要部斜視図である。
【図１０Ａ】２次ツイスト後の入力用引き出し線を曲げる工程を説明するための模式図で、２次ツイストが終わった時点での入力用引き出し線の状態を示す図である。
【図１０Ｂ】図１０Ａの後、曲げが終わった状態を示す図である。
【図１１Ａ】変形例のツイスト治具における、ツイストする前のコイルセグメントと内側ツイスト治具の収容凹部との位置関係を示す、図８Ａと対応する図である。
【図１１Ｂ】変形例におけるツイスト動作について説明するための、図８Ｄと対応する図である。
【発明を実施するための形態】
【００１６】
以下、本発明の一実施形態について図を参照して説明する。
【００１７】
まず、図１を参照して、本発明のコイルセグメントのツイスト方法を用いて作成することができる回転電機のステータの一例の概略構成を説明する。
図１は、そのステータの斜視図である。
図１に示すステータ２は、周方向に配列された複数のスロット４を有する円筒状のコア６と、スロット４にＵ字状のコイルセグメント（セグメント導体）をスロット４の間を跨ぐように複数挿入してそれらのコイルセグメントを接続することにより構成された３相（Ｕ相、Ｖ相、Ｗ相）のコイル８とを備えている。符号５はコア６とコイルセグメントとの間を絶縁するための絶縁シートを示している。なお、以降の説明において、「Ｕ」を含む符号はＵ相のコイルに関連した構成を示す。「Ｖ」、「Ｗ」についても同様である。
【００１８】
各コイルセグメントはコア６の図中軸方向下側からスロット４に挿入され、図中コア６の軸方向上側（入力側又は給電側）の端面から突出した部分は、後述するツイスト治具によりコア６の周方向に折り曲げられる。折り曲げ（ツイスト）はコア６の径方向で隣り合う層毎に逆向きに行われ、ツイスト後に径方向で隣り合う層間で対向するコイルセグメントの先端部同士が電気的に接合される。
図１では接合前の状態を示しているが、以下の説明では、先端部同士が対向した構成（厳密にはコイルセグメントの先端の絶縁被膜を除去した部分同士が対向する構成）を接合部１０と称する。
【００１９】
なお、ステータ２において、各スロット４には６本のコイルセグメントのスロット挿入部（後述）が挿入される。コイルセグメントの厚さは全て共通であるので、１つのスロット４に挿入される６つのスロット挿入部の径方向の配置は全てのスロットにおいて共通である。このため、１つのスロットに挿入される６つのスロット挿入部は、最外周側から最内周側まで積み重なった６層を形成すると捉えることができ、本明細書で「層」と言った場合には、特に断らない限り、このスロット挿入部の層を意味するものとする。
【００２０】
コア６は、打ち抜き加工又はエッチング加工により成形された薄肉の円環状の電磁鋼鈑を円筒軸方向に積層して一体化した構成を有している。コア６の内周側には中心に向けて突出する複数のティース（磁極歯）７が周方向に所定間隔で放射状に形成されている。各ティース７の先端側の面によりコア６の内周面が概ね形成されるが、各ティース７の先端側の面は相互に離れている。図１の中央付近の符号を見易くするため、図の一部を白く塗りつぶしているが、塗りつぶし部分においても、各ティース７は相互に離れている。また、隣り合うティース７間にスロット４が形成されている。
本実施形態のステータ２に挿入される不図示のロータの極数（磁極数）は８であり、極数８に対する３相のコイル８の１相あたりのスロット数は２である。従って、コア６には総数４８のスロット４が配置されている。
【００２１】
ここで、図２Ａにコイルセグメントの一例を示す。
各コイルセグメントは、表面が絶縁被膜で覆われた平角線を曲げ加工によりＵ字状に変形して形成されている。具体的に説明すると、図２Ａに示すように、コイルセグメント１２はそれぞれ直線状に延びる一対のスロット挿入部１２ａ，１２ｂと、これらを連結する連結部１２ｃとを備え、一方のスロット挿入部１２ａと他方のスロット挿入部１２ｂをそれぞれ異なる層に配置できるように連結部１２ｃは段差形状を有している。
【００２２】
符号１２ｄは、コイルセグメント１２をコア６に挿入した時にコア６の端面から突出する範囲を示している。
また、各スロット挿入部１２ａ，１２ｂの挿入方向の先端側の所定長さの部分（符号１２ｄで示す範囲よりも狭い範囲）では、絶縁被膜が除去され、他のコイルセグメントのスロット挿入部や接続端子等と電気的に接続することが可能である。
【００２３】
本実施形態のコイルセグメントには、図１に示すように接合部１０で他のコイルセグメントと連結される先端部を有する、図２Ａに示したように同じ長さのスロット挿入部１２ａ，１２ｂを備える通常のコイルセグメント１２の他、コイルセグメント１２よりもコア６の端面からの突出長さが長いスロット挿入部を含む異形のコイルセグメント１４と、同様にコイルセグメント１２よりもコア６の端面からの突出長さがコイルセグメント１２よりも長く、中性線となる先端部を有するコイルセグメント１６とが含まれている。
【００２４】
図２Ｂに異形のコイルセグメント１４の一例を示す。
この異形のコイルセグメント１４も、直線状に延びる一対のスロット挿入部１４ａ，１４ｂと、これらを連結する連結部１４ｃとからなり、連結部１４ｃは層替えのための段差形状（クランク形状）を有している点はコイルセグメント１２と共通である。
【００２５】
しかし、異形のコイルセグメント１４の一方のスロット挿入部１４ｂは、通常のコイルセグメント１２のスロット挿入部１２ａ，１２ｂと長さが同等である他方のスロット挿入部１４ａよりも長い。スロット挿入部１４ｂの先端部は、スロット挿入部１２ａ，１２ｂ，１４ａの先端部よりも長く、コア６の端面から突出し、その先端部は入力用引き出し線となる。符号１４ｄは、コイルセグメント１４をコア６に挿入した時にスロット挿入部１４ｂがコア６の端面から突出する範囲を示している。スロット挿入部１４ａ側では、図２Ａの１２ｄと同じ長さの部分が突出する。
以下、符号１４ｄで示す部分を長身先端部と、符号１２ｄで示す部分を短身先端部と呼ぶ。
【００２６】
また、図２Ｃに中性線となる先端部を有するコイルセグメント１６の一例を示す。
このコイルセグメント１６も、一方のスロット挿入部１６ｂの長さが他方のスロット挿入部１６ａの長さよりも若干長い。
また厳密には、通常のコイルセグメント１２も、コア６の径方向の位置に応じてスロット４間の周長が異なることに対応して、各スロット挿入部のコア６の端面からの突出長さは、そのスロット挿入部がどの層を形成するかによって若干異なる。
【００２７】
しかし、コイルセグメント１２，１６におけるスロット挿入部間の長さの差は、図２Ｂのｍに比べて小さいため、コイルセグメント１４のスロット挿入部１４ｂ（の先端部１４ｄ）のみを、他よりも長いスロット挿入部１４ｂとして、後述する１次ツイストの対象とする。
【００２８】
図１の説明に戻ると、各スロット４には、前述のようにコア６の径方向に１列に並ぶように６本のスロット挿入部が挿入されている。そして、各相のコイルは、接合部１０において対向するスロット挿入部を電気的に接続することにより複数のコイルセグメントを直列に接続して、それぞれコア６を略６周する、配置位置が周方向にずれた２本のコイルを形成し、さらにそれら２本のコイルを並列に接続した構成を有している。各コイルは、最内周の層（最内層）から最外周の層（最外層）に向けて引き回され、また最内層に戻る構成を有し、両端ともに最内層に位置する。
【００２９】
図１に示すように、コア６の最内層には、異形のコイルセグメント１４の長身先端部１４ｄを曲げて形成した入力用引き出し線１４Ｕ１，１４Ｕ２，１４Ｖ１，１４Ｖ２，１４Ｗ１，１４Ｗ２が配置されている。これらの引き出し線の先端部はそれぞれ、例えばインバータの交流出力部に接続される端子部材１５Ｕ，１５Ｖ，１５Ｗに電気的に接続されている。図１で符号を付した入力用引き出し線１４Ｕ１〜１４Ｗ２は、それぞれ各コイルの一端部に位置し、例えば端子部材１５Ｕは、Ｕ相の２本のコイルを並列接続する役割も果たす。Ｖ相及びＷ相についても同様である。
【００３０】
また、最内層には、コイルセグメント１６の長い方のスロット挿入部の先端部により形成される中性線１６Ｕ１，１６Ｕ２，１６Ｖ１，１６Ｖ２，１６Ｗ１，１６Ｗ２も配置されており、これらは中性点としての不図示の長板状のコモン導体に電気的に接続されている。中性線１６Ｕ１〜１６Ｗ２は、各コイルの他端部に位置する。
【００３１】
ここで、図３に図１の要部を拡大して示す。
図３に示すように、入力用引き出し線１４Ｕ１，１４Ｕ２，１４Ｖ１，１４Ｖ２は、コア６の周方向におけるコイルセグメント１２同士の接合部１０の間（径方向に並ぶ接合部１０の列間の周方向の隙間２１）に、横たわるように配置されている。図３に表れない（図１には表れる）入力用引き出し線１４Ｗ１，１４Ｗ２も同様である。
即ち、径方向の一端側である最内層に位置し、接合部１０で接合される先端部を有する通常のコイルセグメント１２よりもコア６の端面からのスロット挿入部の突出長さが大きい異形のコイルセグメント１４の先端部が、接合部１０間の隙間２１内に横たわるように配置されて、径方向の他端側（最外周側）に導出されている。
【００３２】
さらに具体的に説明すると、入力用引き出し線１４Ｕ１，１４Ｕ２，１４Ｖ１，１４Ｖ２は、異形のコイルセグメント１４の長身先端部１４ｄを、同じ層の通常のコイルセグメント１２の短身先端部１２ｄと共に周方向の同じ向きに折り曲げて（ツイストして）形成された折り曲げ部１４ｄ−１と、接合部１０の列間の隙間２１を内周側から外周側に向って延びる導出部１４ｄ−２と、最外層よりも外側に突出した位置で導出部１４ｄ−２の先端からコア６の軸方向に立ち上がる立ち上がり部１４ｄ−３とを有する。立ち上がり部１４ｄ−３は端子部材１５Ｕ，１５Ｖに接続されている。
導出部１４ｄ−２は、隙間２１に対応する位置で径方向に折り曲げられた部分である。
図１に示す入力用引き出し線１４Ｗ１，１４Ｗ２も同様な構成を有する。
【００３３】
図４に、図１のＩＶ−ＩＶ線に沿う概要断面図を示す。
上記のような入力用引き出し線及び端子部材による端子接続構成を採ることにより、図４に示すように、入力用引き出し線１４Ｕ１を、コア端面からの高さが低い短い距離で端子部材１５Ｕに接続することができる。他の入力用引き出し線についても同様である。
これにより、入力用引き出し線を最内層の位置に立ち上げ、端子部材が接合部１０の列の上方を跨いで入力用引き出し線と接続する従来の構成に比べて、コイルセグメントの材料コストの低減を図ることができる。また、入力用引き出し線の導出部１４ｄ−２のコア６の軸方向における高さを低くできるので、ステータ２の小型化に大きく寄与する。
【００３４】
図４の構成では立ち上がり部１４ｄ−３の立ち上がりの長さを比較的長くしているが、ここで説明した端子接続構成では、立ち上がり長さがより短くても、また、立ち上がり部１４ｄ−３自体を設けなくても、コイルと端子部材との接続が可能である。この構成によれば、コイルセグメントの材料コスト低減及びステータ２の小型化の効果を一層大きくすることができる。
【００３５】
また、入力用引き出し線の導出部１４ｄ−２のコア６の軸方向における高さを低くできるので、入力用引き出し線と端子部材との間の接続部の剛性を高めることができる。このことにより、入力用引き出し線の固有振動数を高めることができる。すなわち、接続部の剛性が低いと入力用引き出し線の固有振動数が低下するが、この低下を抑制することができる。このように固有振動数を高めることにより、例えば接続部が車両エンジンの回転に伴う振動と共振して結線部に断線応力をもたらすリスクを低減できる。
【００３６】
次に、図５〜図８Ｇを参照して、上記の効果を有する端子接続構成を実現できるコイルセグメントのツイスト方法、該ツイスト方法に用いられるツイスト治具及び該ツイスト方法を実施するためのツイスト装置の実施形態について説明する。
図５は、本発明の一実施形態であるツイスト装置の概要構成図である。
図５に示すように、ツイスト装置１８は、コア６の各スロット４に適当なコイルセグメントが挿入された、ツイスト前の状態のステータ２を、コイルセグメントの突出した先端部が下向きとなるように保持するワーク保持機構２０と、ツイスト治具２２と、該ツイスト治具２２を回転駆動するための回転駆動機構２４と、該回転駆動機構２４を制御してツイストプログラムを実行する制御部２５等を備えている。
【００３７】
ツイスト治具２２は、図１に示したコア６の複数のスロット４に挿入されてコア６の端面から突出した、最内層及びその隣の層（内周側から２番目の層）にあるコイルセグメント１２，１４，１６のスロット挿入部の挿入方向の先端部を、コア６の周方向に折り曲げるための工具である。
ツイスト治具２２は、最内層に配置されたスロット挿入部の先端部をツイストする内側ツイスト治具２６と、内周側から２番目の層に配置されたスロット挿入部の先端部をツイストする外側ツイスト治具２８とを有している。内側ツイスト治具２６は異形のコイルセグメント１４のスロット挿入部１４ｂを構成する長身先端部１４ｄが配置される径方向の最内層に対応した径を有し、外側ツイスト治具２８は内周側から２番目の層に対応した径を有している。
【００３８】
回転駆動機構２４は、内側ツイスト治具２６及び外側ツイスト治具２８をそれぞれ回転駆動する回転駆動機構を備える。当該回転駆動機構は、モータ３０の動力により内側ツイスト治具２６を駆動すると共に、モータ３２の動力により外側ツイスト治具２８を駆動する。モータ３０とモータ３２はモータドライバを介して制御部２５に接続されている。制御部２５の不揮発メモリ２５ａには内側ツイスト治具２６と外側ツイスト治具２８の回転量と回転方向等のデータが記憶されており、制御部２５はこのデータに基づいて回転駆動機構２４を制御する。
ワーク保持機構２０は駆動機構３４により上下方向（矢印Ｚ方向）に移動可能となっており、ツイスト時にはステータ２の下降移動とツイスト治具２２の回転動作が制御部２５の制御により同時になされる。
【００３９】
図６は、図５のツイスト装置におけるツイスト治具の分解斜視図である。
図６に示すように、内側ツイスト治具２６は、回転駆動機構２４に接続される円筒状の治具本体３６と、該治具本体３６の軸方向上端部の外周面に形成された、第１収容凹部３８ａ、第２収容凹部３８ｂ及び第３収容凹部３８ｃを有している。第１収容凹部３８ａ、第２収容凹部３８ｂ及び第３収容凹部３８ｃは、周方向に間隔をおいて複数形成されている。
【００４０】
図７は、図６のＶＩＩ−ＶＩＩ線に沿う内側ツイスト治具２６の概要断面図である。
図７に示すように、治具本体３６の底面３６ａには回転駆動機構２４の駆動軸が挿入される挿入孔３６ｂが形成され、さらに複数（ここでは４つ）のネジ孔３６ｃが周方向に等間隔で形成されている。治具本体３６はこれらのネジ孔３６ｃを介して回転駆動機構２４にボルトで締結される。
治具本体３６の上端側には、各コイルセグメントのスロット挿入部の先端部を各収容凹部に案内するための段差状の環状ガイド面３６ｄが形成されている。
【００４１】
第１収容凹部３８ａは、コイルセグメント１２，１４，１６が備えるスロット挿入部のうち、接合部１０を構成し、相互に電気的に接合されるべき一対のスロット挿入部の先端部（短身先端部１２ｄ）を収容する。
第２収容凹部３８ｂは、異形のコイルセグメント１４の、入力用引き出し線１４Ｕ１，１４Ｕ２，１４Ｖ１，１４Ｖ２，１４Ｗ１，１４Ｗ２となるスロット挿入部１４ｂの先端部（長身先端部１４ｄ）を収容する。
第３収容凹部３８ｃは、軸方向の高さが第２収容凹部３８ｂよりも小さくて第１収容凹部３８ａよりも大きく、中性線となるコイルセグメント１６の長い方のスロット挿入部１６ｂの先端部（図２Ｃ参照。以下、先端部１６ｄと呼ぶ）を収容する。
【００４２】
なお、各先端部のうち第１収容凹部３８ａに収容される範囲は、各コイルセグメント１２，１４，１６のスロット挿入部（コイルセグメント１４にあってはスロット挿入部１４ａ）の先端から、概ね図１においてコア６の軸方向に立ち上がっている部分までの範囲である。これは、例えば短身先端部１２ｄとして示した範囲の一部分である。
長身先端部１４ｄのうち第２収容凹部３８ｂに収容される範囲は、各コイルセグメント１４のスロット挿入部１４ｂの先端から、概ね図３における導出部１４ｄ−２及び立ち上がり部１４ｄ−３を構成する部分までの範囲である。これは、長身先端部１４ｄとして示した範囲の一部分である。
先端部１６ｄのうち第３収容凹部３８ｃに収容される範囲もこれらに準じる。
【００４３】
図６に示すように、外側ツイスト治具２８は、円筒状の治具本体４０と、該治具本体４０の下面に治具本体４０と一体に形成されたフランジ部４２とを有している。治具本体４０の軸方向上端部の内周面には、内周側から２番目の層に配置されたスロット挿入部の先端部を収容する収容凹部４０ａが周方向に間隔をおいて複数形成されている。各収容凹部４０ａの高さは、内側ツイスト治具２６の第１収容凹部３８ａと同等である。
【００４４】
外側ツイスト治具２８は、フランジ部４２とウォームギヤ等の歯車構成とを介して、回転駆動機構２４に接続されている。
内側ツイスト治具２６と外側ツイスト治具２８はそれぞれ、治具本体の側面部により、他方の治具の収納凹部に挿入されたスロット挿入部の先端部が外れて脱落するのを互いに防止し合う。
【００４５】
次に、図８Ａ乃至図８Ｇを参照して、１つのツイスト治具である内側ツイスト治具２６により、接合部１０の列の間の隙間２１に異形のコイルセグメント１４の長身先端部１４ｄを位置付けるための動作及びそのための構成について説明する。ここで説明する動作は、この発明のコイルセグメントのツイスト方法の実施形態である。
なお、図８Ａ乃至図８Ｇでは、分り易くするために、コイルセグメントの先端部の周方向の配置とこれに対応する内側ツイスト治具２６の収容凹部の周方向の配置の一部分を直線的に展開してこれらの位置関係を模式的に示している。また、図中の短身先端部１２ｄ、長身先端部１４ｄ及び先端部１６ｄは、それぞれ絶縁被膜が剥離された部分と剥離されていない部分とを含んでいる。
【００４６】
図８Ａに示すように、ツイスト前の状態では、ステータ２のコア６の端面から突出した通常のコイルセグメント１２の短身先端部１２ｄと、異形のコイルセグメント１４の長身先端部１４ｄは、コア６の周方向（矢印Ｒ方向）に同じスロットピッチＰ１で配置されている。スロットピッチＰ１は、スロット４の形成ピッチである。
図８Ｂに示すように、コイルセグメント１６の長い方のスロット挿入部も同じスロットピッチＰ１で配置されている。
【００４７】
これに対し、内側ツイスト治具２６の第１収容凹部３８ａは、スロット４に配置された短身先端部１２ｄの周方向における位置に合わせて形成し、中心軸に沿ってコア６を含むステータ２を内側ツイスト治具２６に近づけることにより、各第１収容凹部３８ａに、対応する短身先端部１２ｄを収容できるようにしている。
一方、第２収容凹部３８ｂは、第１収容凹部３８ａと、そこに収容されるべき短身先端部１２ｄとが対向した状態では、第２収容凹部３８ｂに収容されるべき長身先端部１４ｄに対し、周方向（図中左側）にずれる位置に形成している。すなわち、第２収容凹部３８ｂは、第１収容凹部３８ａの配置周期からずれた位置に配置されている。
第２収容凹部３８ｂのずれ量は、本実施形態では、第１収容凹部３８ａの形成ピッチＰ２（＝スロットピッチＰ１）の１／２である。
【００４８】
図８Ｂには、第３収容凹部３８ｃと第２収容凹部３８ｂとの位置関係を図８Ａと同様に示している。
図８Ａと図８Ｂとの対比からわかるように、第３収容凹部３８ｃも第１収容凹部３８ａ同様に、スロット４に配置されたコイルセグメント１６の長い方の先端部である先端部１６ｄの周方向における位置に合わせて形成されており、中心線に沿ってコア６を含むステータ２を内側ツイスト治具２６に近づけることにより、各第３収容凹部３８ｃに、対応する先端部１６ｄを収容することができる。なお、内側ツイスト治具２６の周方向位置を、各第１収容凹部３８ａに対応する短身先端部１２ｄを収容できるように調整すれば、その位置で各第３収容凹部３８ｃにも対応する先端部１６ｄを収容することができる。
【００４９】
この実施形態のツイスト方法ではまず、被加工物として、コイルセグメントが挿入されたコア６であるステータ２を用意して図５のツイスト装置１８にセットする。その後、内側ツイスト治具２６を駆動して、その周方向位置を、１次ツイストを開始するための位置に移動させる。
その位置は、図８Ｃに示すように、長身先端部１４ｄと、内側ツイスト治具２６の第２収容凹部３８ｂとが向かい合う位置である。
図８Ａとの対比からわかるように、この状態では、第１収容凹部３８ａは、そこに収容される短身先端部１２ｄに対してずれた位置に来ることになる。仮想線Ｌは、図８Ａの状態で長身先端部１４ｄがあった位置を示している。
【００５０】
次に、図８Ｃに示す状態から、制御部２５による駆動機構３４の動作によって矢印Ｚ２で示すようにステータ２を下降させ、図８Ｄに示すように、異形のコイルセグメント１４の長身先端部１４ｄの一部を第２収容凹部３８ｂに挿入する。ステータ２の下降量は、短身先端部１２ｄが第１収容凹部３８ａに収容されないことはもちろん、中性線となるコイルセグメント１６の長い方のスロット挿入部の先端部１６ｄも第３収容凹部３８ｃに収容されない程度に設定する。図８Ｄの状態における先端部１６ｄの高さを、図中に仮想線で示している。下降量の設定は、制御部２５の不揮発メモリ２５ａに記憶させておくことができる。
【００５１】
次に、図８Ｄのように第２収容凹部３８ｂに長身先端部１４ｄの一部を挿入した状態で、内側ツイスト治具２６をＲ１方向に所定量回転駆動して、１次ツイストを行う。
図８Ｅがこの１次ツイスト後の状態を示す。１次ツイストによって、長身先端部１４ｄは斜めに変形する。
本実施形態における、１次ツイストでの内側ツイスト治具２６の所定の回転量は、第１収容凹部３８ａの形成ピッチＰ２の１／２である。すなわち、上述した第２収容凹部３８ｂのずれ量分だけ回転させる。厳密には、この回転量は、（１／２）×Ｐ２にスプリングバックを加味して設定することが好ましい。
【００５２】
１次ツイストの時点では、短身先端部１２ｄと先端部１６ｄは、それぞれ第１収容凹部３８ａ、第３収容凹部３８ｃに挿入されていないため、位置の変動はない。このため上記回転量との関係から、図８Ｅに示す通り、１次ツイストの終了後には、短身先端部１２ｄと先端部１６ｄに、それぞれ第１収容凹部３８ａと第３収容凹部３８ｃが対向する。
【００５３】
従ってこの状態では、矢印Ｚ２で示すようにステータ２をさらに下降させることにより、第１収容凹部３８ａに短身先端部１２ｄを、第３収容凹部３８ｃに先端部１６ｄを、それぞれ挿入して収容することができる。
この状態で、内側ツイスト治具２６を１次ツイスト時の所定量よりも多く回転させる２次ツイストを行う。１次ツイストと２次ツイストとの間にタイムラグがあっても、１次ツイストから２次ツイストへ連続的に移行してもよい。
【００５４】
上記のようにステータ２を下降させると、１次ツイストされた長身先端部１４ｄは、斜めに変形した状態で第２収容凹部３８ｂにさらに深く挿入されることになる。内側ツイスト治具２６の各収容凹部（少なくとも第２収容凹部３８ｂ）の入口に、Ｒ形状に加工された領域を設け、当該領域に磨き加工をしておくことにより、この挿入に際してコイルセグメント１４の表面の絶縁被膜と第２収容凹部３８ｂの入口とが接触しても、絶縁被膜に傷がつかないようにすることができる。
【００５５】
２次ツイストは、図８Ｇに示すように、１次ツイストとは逆向きに行われる。即ち、内側ツイスト治具２６が１次ツイストの際とは逆向き（矢印Ｒ２方向）に回転駆動される。
２次ツイストでの内側ツイスト治具２６の回転量は、第１収容凹部３８ａの形成ピッチＰ２の１倍以上である。Ｐ２の整数倍には限られない。
【００５６】
図９に、上記の２次ツイストが終わった時点での入力用引き出し線の構成を示す。
本実施形態では、２次ツイストでの内側ツイスト治具２６の回転量を第１収容凹部３８ａの形成ピッチＰ２の３倍としている。これにより、通常のコイルセグメント１２の短身先端部１２ｄは第１収容凹部３８ａの形成ピッチＰ２の３倍（＝３スロットピッチ）変位する。一方、異形のコイルセグメント１４の長身先端部１４ｄは、１次ツイストで変位した分が逆向きの２次ツイストで相殺される。このため、長身先端部１４ｄは、第１収容凹部３８ａの形成ピッチＰ２の２．５倍変位した位置、すなわち、図９に示すように周方向における先端部同士の接合部１０間の隙間２１に対応した位置に、コア６の端面に対して垂直に立った状態で配置される。
【００５７】
第３収容凹部３８ｃは、第２収容凹部３８ｂの場合のような、第１収容凹部３８ａの配置周期に対する「ずれ」を設けずに形成されている。このため、２次ツイスト後のコイルセグメント１６の先端部１６ｄは、図１に示すように、接合部１０の列と径方向に並ぶように配置される。
また、必須ではないがこの例では、内側ツイスト治具２６による２次ツイストと同時に、外側ツイスト治具２８も内側ツイスト治具２６と逆向きに回転駆動して内周側から２番目の層のコイルセグメントのツイストを行う。２番目の層におけるコイルセグメントの先端部を収容する収容凹部４０ａは全て第１収容凹部３８ａと同じ大きさである。２番目の層に配置される先端部は、接合用の先端部であるためである。
【００５８】
なお、隙間２１の周方向の幅は異形のコイルセグメント１４を形成する線材の周方向の幅よりも大きいので、１次ツイストにおける内側ツイスト治具２６の回転量（第１収容凹部３８ａの形成ピッチの１／２）や２次ツイストにおける内側ツイスト治具２６の回転量（第１収容凹部３８ａの形成ピッチの１倍以上）の条件は厳密なものでなくてもよい。即ち、２次ツイストが完了した際に、異形のコイルセグメント１４の先端部１４ｄが隙間２１内の、後述する横たわりのための曲げ加工に支障がない位置で立ち上がるように設定できればよい。
【００５９】
上記のように、この実施形態において、第２収容凹部３８ｂに長身先端部１４ｄを収容して行う１次ツイストの時点では、第１収容凹部３８ａは、そこに収容される短身先端部１２ｄに対し、周方向（図中右側）にずれる位置に来て、１次ツイストの後では短身先端部１２ｄが第１収容凹部３８ａと略対向する位置に来るように、第１収容凹部３８ａと第２収容凹部３８ｂとを形成している。そして、異形のコイルセグメント１４のみの１次ツイストを行った後に２次ツイストを行っている。このことにより、単一のツイスト治具（内側ツイスト治具２６）を用いて、長身先端部１４ｄの位置を、接合部１０の列の位置からずらすことができ、上述の横たわりの接続構成を容易に得ることができる。
【００６０】
本実施形態では２次ツイストを１次ツイストと逆向きに行う構成としたが、同一方向に回転させた場合でも、１次ツイストで長身先端部１４ｄが接合部１０を形成する短身先端部１２ｄと比べて所定量進むので、同様の効果を得ることができる。なお、２次ツイストを１次ツイストと逆向きに行う方が折り曲げ部１４ｄ−１が短くてよいため異形のコイルセグメント１４の長身先端部１４ｄの長さを短くできる分、材料費の観点から経済的である。
また、本実施形態ではステータ２を移動させて各コイルセグメントの先端部を対応する収容凹部に挿入したが、ツイスト治具側、あるいはステータ２とツイスト治具の双方を移動させてもよい。
【００６１】
また、２次ツイストの際に、内側ツイスト治具２６の回転に連れて、ステータ２を内側ツイスト治具２６に近づけるとよい。このとき、ステータ２及びツイスト治具２２の少なくとも一方を、他方に対してその中心軸に沿う方向に相対移動させればよい。即ち、本実施形態の場合と逆にステータ２を固定してツイスト治具２２側を上昇させてもよく、さらには、ステータ２の下降とツイスト治具２２側の上昇を同時に行ってもよい。
【００６２】
２次ツイスト後、図９に示すように垂直に立った状態の、入力用引き出し線１４Ｕ１，１４Ｕ２，１４Ｖ１，１４Ｖ２，１４Ｗ１，１４Ｗ２となる長身先端部１４ｄに対して、図１に示した端子部材１５Ｕ，１５Ｖ，１５Ｗに接続するための曲げ加工を行う。
図１０Ａ及び図１０Ｂを用いてこの曲げ加工について説明する。
入力用引き出し線１４Ｕ１を例に説明すると、この横たわりのための曲げ加工は以下の手順で行う。
まず、図１０Ａに示すように、コア６の径方向外側から入力用引き出し線１４Ｕ１の根元の曲がりをガイドする曲げガイド部材５０を挿入し、その状態で、入力用引き出し線１４Ｕ１の先端部を、加工装置の曲げ部材５２に収容する。
【００６３】
当該加工装置が、曲げ部材５２を図１０Ｂに矢印Ｑで示すように斜めに移動させることにより、入力用引き出し線１４Ｕ１となる長身先端部１４ｄは隙間２１内に横たわる状態に曲げられ、導出部１４ｄ−２が形成される。その後さらに、その先端部を曲げ部材５２によって、コア６の軸方向に折り曲げて立ち上がり部１４ｄ−３を形成する。
他の入力用引き出し線１４Ｕ２，１４Ｖ１，１４Ｖ２，１４Ｗ１，１４Ｗ２についても同様である。
【００６４】
上記では、ツイスト治具２２により最内層のコイルセグメントをツイストすることについて説明したが、他の各層についても、各層と対応するツイスト治具を用いてコイルセグメントのうちコア６の端面から突出した部分をツイストすることができる。他の層には、入力用引き出し線となるコイルセグメントは無いため、他の層と対応するツイスト治具には、第１収容凹部３８ａのみを等間隔で設ければよく、第２収容凹部３８ｂ及び第３収容凹部３８ｃは不要である。また、ツイストの方向は、隣の層と反対の向きである。また、ツイストは、ツイスト治具を２つずつ用いて２層ずつ行うとよい。
【００６５】
上記実施形態では、第１〜第３収容凹部３８ａ〜３８ｃをコア６の外周面に軸方向に延びる縦溝状に形成しているが、治具本体３６の内周面又は内側に形成してもよい。あるいは治具本体３６の側面の内部に、側面に露出しない孔として形成してもよい。収容凹部４０ａも、同様に、治具本体４０の内周面、内側、側面の内部等に形成してもよい。
【００６６】
また、上記実施形態では、通常のコイルセグメントの周方向における接合部１０間の隙間２１に、入力用引き出し線を横たわらせて内周側から外周側に導出する例を示したが、本発明はこれに限定されず、外周側から内周側へ導出する構成としてもよい。この場合には、最外層に対応した径を有するツイスト治具に、第１〜第３収容凹部３８ａ〜３８ｃと対応する収容凹部を設け、最外層のスロット挿入部に対し、図８Ａ乃至図８Ｇを用いて説明したものと同様なツイスト処理を適用すればよい。また、隙間２１に横たわらせる対象は、入力用引き出し線に限定されない。
【００６７】
また、上記実施形態では、１次ツイストでは異形のコイルセグメント１４の長身先端部１４ｄのみをツイストするようにしたが、コイルセグメント１６の長い方のスロット挿入部の先端部１６ｄも、１次ツイストにてツイストするようにしてもよい。このようにすれば、コイルセグメント１６の長い方のスロット挿入部の先端部１６ｄ（中性線となる先端部）も、異形のコイルセグメント１４の長身先端部１４ｄと同様、接合部１０間の隙間２１に対応した位置に配置できる。
【００６８】
図１１Ａに、このような１次ツイストを行う場合の第１〜第３収容凹部３８ａ〜３８ｃの配置例を示す。図８Ａ乃至図８Ｇに示した構成と対応する箇所には同じ符号を用いている。
図１１Ａの例では、第２収容凹部３８ｂだけでなく第３収容凹部３８ｃも、第１収容凹部３８ａと、そこに収容されるべき短身先端部１２ｄとが対向した状態では、第３収容凹部３８ｃに収容されるべき先端部１６ｄに対し、周方向（図中左側）にずれる位置に形成している。すなわち、第３収容凹部３８ｃも、第２収容凹部３８ｂと同様、第１収容凹部３８ａの配置周期からずれた位置に配置されている。
第３収容凹部３８ｃ及び第２収容凹部３８ｂのずれ量は、第１収容凹部３８ａの形成ピッチＰ２（＝スロットピッチＰ１）の１／２である。
【００６９】
図１１Ｂに、図１１Ａの内側ツイスト治具を用いたツイスト動作の一部を示す。
図１１Ａを用いて説明した内側ツイスト治具２６を用いることにより、１次ツイストに際し第２収容凹部３８ｂに長身先端部１４ｄを収容する際に、図１１Ｂに示すように、コイルセグメント１６の長い方のスロット挿入部の先端部１６ｄも同時に第３収容凹部３８ｃに収容することができる。このため、先端部１６ｄも１次ツイストの対象とすることができる。
【００７０】
中性線同士を接続するにあたって、一枚のプレートに中性線の端部を溶接する手法が存在する。しかし、中性線と周方向に隣接する導体（接合部１０）の端部高さが中性線の端部高さと同程度又はより高い場合、上記プレートが、上記隣接する導体の端部又は絶縁被膜に干渉する可能性がある。今回のように１／２ピッチの箇所を含む構成ではこの問題が特に顕著であるが、上記のように中性線となる先端部も１次ツイストして接合部１０の隙間２１に配置することにより、このような問題を避けられる。
【００７１】
また、上記実施形態では、図６に表れるように、第１収容凹部３８ａと第２収容凹部３８ｂと第３収容凹部３８ｃとを、それぞれ異なる深さとした。しかし、１次ツイストでも２次ツイストでも、ツイスト処理を行う時点で、各収容凹部に収容された先端部は、収容凹部の底に達するまで収容凹部に入っている必要はない。従って、各収容凹部は、対応する先端部の収容に必要な深さよりも深く形成してもよい。例えば、各収容凹部の深さを、図６において最も深い第２収容凹部３８ｂと同じ深さとしてもよい。この場合、全ての収容凹部は同じ形状となる。また、第１収容凹部３８ａと第３収容凹部３８ｃとをＰ２のピッチで等間隔に形成すると共に、図８Ａを用いて説明したように、第２収容凹部３８ｂを、Ｐ２のピッチに従った位置から１／２ピッチずれた位置に形成すればよい。
【００７２】
以上、本発明の好ましい実施形態について説明したが、本発明はかかる特定の実施形態に限定されるものではなく、種々の変形・変更が可能である。上述した本発明の構成は、一部のみ取り出して実施することもできるし、以上の説明の中で述べた変形は、相互に矛盾しない限り任意に組み合わせて適用可能である。本発明の実施形態に記載された効果は、本発明から生じる最も好適な効果を例示したに過ぎず、本発明による効果は、本発明の実施形態に記載されたものに限定されるものではない。
【符号の説明】
【００７３】
２  ステータ
４  スロット
６  コア
１０  接合部
１２  通常のコイルセグメント
１２ｄ  短身先端部
１４  異形のコイルセグメント
１４ｄ  長身先端部
１６  中性線となる先端部を有するコイルセグメント
２１  隙間
２２  ツイスト冶具
２５  制御部
２６  内側ツイスト治具
２８  外側ツイスト治具
３６、４０  治具本体
３８ａ  第１収容凹部
３８ｂ  第２収容凹部
３８ｃ  第３収容凹部
【要約】
最内層に対応する内側ツイスト治具（２６）の外周面には、周方向に間隔をおいて、通常のコイルセグメント（１２）のスロット挿入部（１２ａ）の先端部（１２ｄ）を収容する第１収容凹部（３８ａ）と、異形のコイルセグメント（１４）の長身のスロット挿入部（１４ｂ）の先端部（１４ｄ）を収容する第２収容凹部（３８ｂ）が複数形成されている。第２収容凹部（３８ｂ）にツイスト前の長身スロット挿入部（１４ｂ）の先端部（１４ｄ）を挿入した状態では、第１収容凹部（３８ａ）は、収容すべき先端部（１２ｄ）に対して周方向にずれた位置にある。この状態で内側ツイスト治具（２６）を回転させて１次ツイストを行い、その後さらに第１収容凹部（３８ａ）に通常のコイルセグメント（１２）の先端部（１２ｄ）を挿入して、１次ツイストよりも多い回転量で２次ツイストを行う。【図１】
0006913420.tif 000002
【図２Ａ】
0006913420.tif 000003
【図２Ｂ】
0006913420.tif 000004
【図２Ｃ】
0006913420.tif 000005
【図３】
0006913420.tif 000006
【図４】
0006913420.tif 000007
【図５】
0006913420.tif 000008
【図６】
0006913420.tif 000009
【図７】
0006913420.tif 000010
【図８Ａ】
0006913420.tif 000011
【図８Ｂ】
0006913420.tif 000012
【図８Ｃ】
0006913420.tif 000013
【図８Ｄ】
0006913420.tif 000014
【図８Ｅ】
0006913420.tif 000015
【図８Ｆ】
0006913420.tif 000016
【図８Ｇ】
0006913420.tif 000017
【図９】
0006913420.tif 000018
【図１０Ａ】
0006913420.tif 000019
【図１０Ｂ】
0006913420.tif 000020
【図１１Ａ】
0006913420.tif 000021
【図１１Ｂ】
0006913420.tif 000022